(57)【特許請求の範囲】
【請求項１】
内袋と外袋とを重ね合せ、前記外袋より露出している内袋の正面側及び背面側の開口上縁に果軸部又は果樹の枝を挿入するための切欠き部を設け、前記内袋の正面側及び背面側の下縁に切裂き線を介して接着片を設けると共に、該接着片を前記外袋に接着することによって前記内袋と外袋とを互いに結合した果実掛袋において、前記内袋の縦幅の略中央部から前記開口上縁側にかけての内袋上部の光線透過率を０〜４５％、それ以外の内袋下部の光線透過率を５０％以上、前記外袋の光線透過率を３０％以下に形成したことを特徴とする果実掛袋。
【請求項２】
前記内袋上部と内袋下部の境界が前記外袋の上縁より下方に位置したことを特徴とする請求項１記載の果実掛袋。
【発明の詳細な説明】
【０００１】
【産業上の利用分野】
本発明は、特に桃、プラム等の果実に使用する果実掛袋に関する。
【０００２】
【従来の技術】
従来、この種のものとして実用新案登録第３００５２２８号公報の図１には、内袋と外袋とを重ね合せ、前記外袋より露出している内袋の正面側及び背面側の開口上縁に果軸部又は果樹の枝を挿入するための切欠き部を夫々設け、前記内袋の正面側及び背面側の下縁に切裂き線を介して接着片を夫々設けると共に、該接着片を前記外袋に接着することによって前記内袋と外袋とを互いに結合し、さらに前記内袋は光線透過率が４０％以上に形成され、前記外袋は光線透過率が３０％以下に形成された果実掛袋が開示されている。
【０００３】
この従来の果実掛袋においては、外袋を除袋する際に接着片も切裂き線を介して除去でき、内袋に接着片が残らず、内袋に収納された果実に満遍なく日射に浴せしめて着色等を促進できるものである。
【０００４】
【発明が解決しようとする課題】
前記従来技術においては、内袋の全体は光線透過率が４０％以上に形成されていたので、内袋を透過した日射が果実の肩部や果軸部にあたり、この部分に日焼けが発生したり熟度が過度に進んで軟化するという障害が現われる。この結果果実全体の成育が阻害されるので、果実の成熟が抑制されかつ果実の着色、肥大が不良となり品質の低下をきたし、さらに収穫後の日持ちも悪くなるという問題があった。加えて桃等の出荷方法は果実の尻部を上にし、パック詰め等を行うものであり、果実の着色は赤道部より尻部にかけて行うことが望ましい。
【０００５】
そこで、本発明は前記問題を解決して、簡単に外袋を除袋できると共に、果実の赤道より尻部にかけての着色を良好に行い、高品質の果実を成育できる果実掛袋を提供することを目的とする。
【０００６】
【課題を解決するための手段】
本発明は、内袋と外袋とを重ね合せ、前記外袋より露出している内袋の正面側及び背面側の開口上縁に果軸部又は果樹の枝を挿入するための切欠き部を設け、前記内袋の正面側及び背面側の下縁に切裂き線を介して接着片を設けると共に、該接着片を前記外袋に接着することによって前記内袋と外袋とを互いに結合した果実掛袋において、前記内袋の縦幅の略中央部から前記開口上縁側にかけての内袋上部の光線透過率を０〜４５％、それ以外の内袋下部の光線透過率を５０％以上、前記外袋の光線透過率を３０％以下に形成したことを特徴とする果実掛袋である。
【０００７】
また本発明は、前記内袋上部と内袋下部の境界が前記外袋の上縁より下方に位置したことを特徴とする請求項１記載の果実掛袋である。
【０００８】
【作用】
前記請求項１記載の果実掛袋では、外袋が掛けられているときには光線透過率が０〜４５％の内袋上部と光線透過率が３０％以下の外袋により果実は遮光される。一方外袋を除袋する際に前記接着片も切裂き線を介して除去でき、内袋に接着片が残ることはなくなる。そして光線透過率が５０％以上の内袋下部があらわれることにより、果実の赤道部より尻部にかけて日射が満遍なく当たることができる。
【０００９】
前記請求項２記載の果実掛袋では、境界が外袋の上縁より下方にあるので、内袋と外袋が掛けられたときに、内袋及び外袋を通して日射が果実に当たることを防止できる。
【００１０】
【実施例】
以下、本発明の第１実施例を図１乃至図６を参照して説明する。果実掛袋１は内袋２と外袋３とを重ね合せてなり、前記内袋２にはその正面側及び背面側の開口上縁２Ａの中央部に略Ｖ字形の切欠き部４が夫々設けてある。この切欠き部４は、図５及び図６に示すように果実Ａの袋掛けの際、果樹の枝Ｂを挿入するためのものである。また内袋２には対向する側面に夫々縦ひだ５が設けてあり、この縦ひだ５によって内袋２の横方向の長さを外袋３の横方向の長さより実質上大きく形成してある。
【００１１】
さらに前記内袋２にはその正面側及び背面側の開口下縁２Ｂに略Ｖ字形の接着片６が夫々設けてある。この接着片６は前記切欠き部４と対向するように、開口下縁２Ｂの中央部に設けられると共に、その大きさは前記切欠き部４と同一な形状に形成されている。そして、前記接着片６の基端側には切裂き線７が内袋２の開口下縁２Ｂとほぼ同一線上に設けられている。この切裂き線７はミシン目、ルーレットによる圧線又は切込み等で形成されるものである。
【００１２】
尚、前記内袋２は白色又は淡色のパラフィン紙もしくは耐水、撥水処理を施した紙により形成しており、前記内袋２の縦方向の略中央部を境界２Ｃとして前記開口上縁２Ａにかけての内袋上部２Ｄの光線透過率を０〜４５％、好ましくは２０〜４０％に形成している。一方前記境界２Ｃより開口下縁２Ｂにかけての内袋下部２Ｅの光線透過率を５０％以上、好ましくは６０〜８０％としている。また内袋２の胴部貼代11の上端部には結縛用止金12が封止されている。さらに、内袋２は図４に示すように一枚の原紙13からカッター（図示せず）等により切取り、そして上述のように袋状に形成するものであるが、内袋２の切欠き部４により隣接する内袋２の接着片６が形成されるようになっている。
【００１３】
前記外袋３は内袋２より短く形成されており、その開口上縁３Ａより前記切欠き部４の下端４Ａが上方に位置している。また外袋３の開口下縁３Ｂは内袋２の開口下縁２Ｂより下方であって、接着片６の下端６Ａより上方に位置している。すなわち接着片６の下端６Ａ側の一部が外側にあらわれている。さらにこの外袋３の光線透過率は３０％以下、好ましくは０〜１０％に形成され、前記開口上縁３Ａは前記境界２Ｃより上方に位置している。
【００１４】
そして、正面側及び背面側の接着片６と、正面側及び背面側の外袋３の開口下縁３Ｂ側は接着部８により夫々内袋２と外袋３とを互いに結合している。また、正面側及び背面側の外袋３の開口下縁３Ｂ側が接着部９により相互に結合している。尚、前記接着部８，９は帯状であり、前記開口下縁３Ｂ側を接着（接着部９）する際、同時に接着部８が形成されるものである。さらに、外袋３の上縁開口部３Ａ側には点貼接着部10が設けられ、内袋２と外袋３とを互いに結合している。前記点貼接着部10は剥離可能な接着剤を用いたものであり、例えば紫外線の照射により経時的に接着力が劣化して、果実Ａの収穫期、すなわち外袋３を除袋する時期には接着力が劣化している接着剤を用いている。尚、この点貼接着部10は必要に応じて設けられる。
【００１５】
前記構成の果実掛袋１は次のように使用する。すなわち、図５に示すように、果実Ａを袋内部に収納した後、前記内袋２の切欠き部４に枝Ｂを挿入し、次いで該枝Ｂ上で内袋２の開口上縁２Ａを集束すると共に、該集束部を前記結縛用止金12で結縛すれば、袋掛け作業が終了する。
【００１６】
次に一定期間を経過すると、果実掛袋１内の果実Ａは生育し、肥大するから、それに伴って内袋２は縦ひだ５を解除しつつ横方向の長さを拡大する。尚、幼果期から成熟期に至る大半の期間を外袋３で遮光された状態となっており、さらに果軸部（図示せず）のまわりは光線透過率が０〜４５％の内袋上部２Ｄにより日射が遮光されている。この際外袋３はその横方向の長さが内袋２に比して短いから、果実Ａの肥大による内側からの圧力、並びに前記点貼接着部10の劣化により、該点貼接着部10においては内袋２と外袋３は剥がれる。このようにして果実Ａの成熟期を向えると外袋３を剥いで除袋する。
【００１７】
前記外袋３を除袋する際には、下方に突出している内袋２の接着片６の部位、或いは外袋３の開口下縁３Ｂ側に指を掛けて下方に引くことにより、外袋３を除袋できる。この際接着片６に指を掛けて下方に引くと切裂き線７から接着片６を直接切裂くと共に、貼接着部８により接着片６に結合された外袋３も一体となって除袋することができる。一方、外袋３の開口下縁３Ｂ側に指を掛けて下方に引いた場合には、外袋３を直接剥ぎ取ることができると共に、接着部８により外袋３に結合された接着片６も一体となって除去できる。
【００１８】
この後においては、光線透過率が０〜４５％の内袋上部２Ｄにより、果実Ａの肩部から赤道部にかけては遮光されるので該肩部及び果軸部まわりの日焼けを阻止し、合わせて該箇所が過度に熟することや軟化することを防止できる。一方光線透過率が５０％以上の内袋下部２Ｅがあらわれることになるので、果実Ａの赤道部から尻部には日射が多量に放射される。
【００１９】
これにより果実Ａの赤道部から尻部への着色と、雨水による病害の抑止と、糖度上昇及び熟度の進展を促して、収穫期まで内袋２を掛けて果実Ａを病害、害虫、害鳥及び散布農薬の汚染から保護することができる。
【００２０】
以上のように、前記実施例では内袋２と外袋３とを重ね合せ、前記外袋３より露出している内袋２の正面側及び背面側の開口上縁に果軸部又は果樹の枝を挿入するための切欠き部４Ａを設け、前記内袋２の正面側及び背面側の下縁２Ｂに切裂き線７を介して接着片６を設けると共に、該接着片６を前記外袋３に接着することによって前記内袋２と外袋３とを互いに結合した果実掛袋において、前記内袋２の縦幅の略中央部から前記開口上縁２Ａ側にかけての内袋上部２Ｄの光線透過率を０〜４５％、それ以外の内袋下部２Ｅの光線透過率を５０％以上、前記外袋３の光線透過率を３０％以下に形成したことにより、外袋３を付けた状態では内袋上部２Ｄ及び外袋３により果実の肩部から果軸部にかけてを遮光するので、該箇所が過度に熟したり軟化することを防止できる。一方外袋３を除袋する際に前記接着片６も切裂き線７を介して除去でき、内袋２に接着片６が残らず、この結果内袋２に収納された果実Ａに内袋下部２Ｄを介して満遍なく直接日射に浴せしめてることができる。特に、外袋３を除袋した後には光線透過率を５０％以上とした内袋下部２Ｅがあらわれるので、果実Ａの赤道部から尻部には日射が多量に放射され、該箇所に自然着色を行うことができる。したがって、収穫後の日持ちが良くなり、短時間で過熟腐敗が進むことなく市場での商品価値を高く保つことができる。
【００２１】
さらに、前記実施例では内袋上部２Ｄと内袋下部２Ｅの境界２Ｃが前記外袋３の上縁３Ａより下方に位置したことにより、内袋２、外袋３を掛けた際には日射が光線透過率を５０％以上とした内袋下部２Ｅ側から侵入する虞はない。
【００２２】
また、実施例では前記切裂き線７は接着片６の基端側に設けられた切取り可能なミシン目又は切れ目により形成されたことにより、簡単にしかも切裂き線７に沿って接着片６を切取ることができる。
【００２３】
さらに、実施例では前記接着片６を前記切欠き部４と対向して内袋２の正面側及び背面側の開口下縁２Ｂに夫々設けられ、かつ前記接着片６は前記切欠き部４と同一形状としたことにより、図４に示すように隣接するシート部13Ａ，13Ｂにおいて切欠き部４、接着片６を同時に形成することができると共に原紙13に無駄な箇所がなく安価に製作することができる。また、前記切欠き部４は前記内袋２の正面側及び背面側の開口上縁２Ａの中央部に略Ｖ字形に設けられると共に、該切欠き部４の下端４Ａは前記外袋３の開口上縁３Ａより上方に位置したことにより、確実に果実掛袋１を枝Ｂに取付けすることができる。
【００２４】
しかも、前記外袋３の上縁開口部３Ａ側に剥離可能な第３の点貼接着部10を設けて前記内袋２と外袋３とを互いに結合したことにより、幼果期から成熟期に至る大半の期間において、風雨等があっても確実に外袋３を内袋２に結合することができる。また除袋時には簡単に外袋３を除袋することができる。さらに、前記点貼接着部10は紫外線照射により接着力が劣化する接着剤からなるので、幼果期から成熟期に至った際には接着力が劣化しているので、除袋時に簡単に外袋３を取除くことができる。
【００２５】
図７は本発明の第２実施例を示したものであり、前記第１実施例と同一部分には同一符号を付しその詳細な説明を省略する。第２実施例では果実掛袋１Ａは内袋２と外袋３とを重ね合せてなり、前記内袋２にはその正面側及び背面側の開口上縁２Ａの中央部に略Ｕ字形の切欠き部４Ｂが夫々設けてある。さらに前記内袋２にはその正面側及び背面側の開口下縁２Ｂに略Ｕ字形の接着片６Ｂが夫々設けてある。この接着片６Ｂは前記切欠き部４Ｂと対向するように、開口下縁２Ｂの中央部に設けられると共に、その大きさは切欠き部４Ｂの形状の一部を使用して切欠き部４Ｂより小さく略Ｕ字形に形成されている。そして、前記接着片６の基端側には切裂き線７が内袋２の開口下縁２Ｂと同一線上に設けられている。また外袋３の開口下縁３Ｂは内袋２の開口下縁２Ｂより下方であって、接着片６Ｂの下端６Ｃより下方に位置している。すなわち接着片６Ｂは外袋３に隠れるように設けられている。そして、正面側及び背面側の接着片６Ｂと、正面側及び背面側の外袋３の開口下縁３Ｂ側は貼接着部８Ａにより夫々内袋２と外袋３とを互いに結合している。
【００２６】
さらに、第１実施例と同様に内袋上部２Ｄの光線透過率を０〜４５％に形成し、内袋下部２Ｅの光線透過率を５０％以上に形成し、さらに外袋３の光線透過率は３０％以下に形成している。
【００２７】
したがって、前記外袋３を除袋する際には、外袋３の開口下縁３Ｂ側に指で摘んで下方に引くことにより、外袋３を除袋できる。この際、外袋３を直接除袋できると共に、接着部８により外袋３に結合された接着片６Ｂも一体となって除去できる。尚、２Ｆは内袋２の開口上縁２Ａ側に１０ｍｍ程度形成された光線透過率を５０％以上の上端域であり、特に果実袋を取り付けた枝Ｂや果軸部などに多少の日射が必要な場合等に設ける。
【００２８】
以上のように、前記第２実施例では、外袋３を除袋する際に前記接着片６Ｂも切裂き線７を介して除去でき、内袋２に接着片６Ｂが残らず、この結果内袋２に収納された果実に満遍なく直接日射に浴せしめて白地の果実に着色等を促すことができる。また、外袋３を付けた状態では袋上部２Ｄの遮光性のために果実の肩部から果軸部が日焼けする虞はなく、外袋３を除袋した後においては光線透過率が５０％以上の内袋下部２Ｅがあらわれることになるので、果実Ａの赤道部から尻部には日射が多量に放射され、該箇所に自然着色を行うことができる。
【００２９】
さらに、第２実施例では前記接着片６Ｂを前記切欠き部４Ｂと対向して内袋２の正面側及び背面側の開口下縁２Ｂに夫々設けられ、かつ前記接着片６を前記切欠き部４の形状の一部を使用して小さくしたことにより、第１実施例の図４と同様に原紙から連続してシート部を製作することができ、安価に製作することができる。また、前記切欠き部４Ｂは前記内袋２の正面側及び背面側の開口上縁２Ａの中央部に略Ｕ字形に設けられると共に、該切欠き部４Ｂの下端４Ａは前記外袋３の開口上縁３Ａより上方に位置したことにより、確実に果実掛袋１Ａを枝に取付けすることができる。しかも接着片６Ｂの下端６Ｃを前記外袋３の下縁開口部３Ｂより上方に設けたことにより、外袋３の開口下縁３Ｂ側に指を掛けて摘んで簡単に除袋することができる。
【００３０】
尚、本発明は前記実施例に限定されるものではなく、種々の変形が可能である。
【００３１】
【発明の効果】
請求項１記載の果実掛袋は、内袋と外袋とを重ね合せ、前記外袋より露出している内袋の正面側及び背面側の開口上縁に果軸部又は果樹の枝を挿入するための切欠き部を設け、前記内袋の正面側及び背面側の下縁に切裂き線を介して接着片を設けると共に、該接着片を前記外袋に接着することによって前記内袋と外袋とを互いに結合した果実掛袋において、前記内袋の縦幅の略中央部から前記開口上縁側にかけての内袋上部の光線透過率を０〜４５％、それ以外の内袋下部の光線透過率を５０％以上、前記外袋の光線透過率を３０％以下に形成したことを特徴とする果実掛袋であり、外袋を付けた状態においては内袋上部により果実の肩部から果軸部の日焼けを防止でき、該箇所が過度に熟したり軟化することを防止できる。そして外袋を除袋する際には前記接着片も切裂き線を介して除去でき、内袋に接着片が残らない。このために外袋の除袋後にあらわれる内袋下部を通して満遍なく直接日射に浴せしめて白地の果実の赤道から尻部に多量の日射を照射して果実全体の成熟が進み、糖度の上昇、果実の着色、肥大が良好になり品質を向上できると共に、加えて収穫後の日持ちも良くすることができる。
【００３２】
請求項２記載の果実掛袋は、前記内袋上部と内袋下部の境界が前記外袋の上縁より下方に位置したことを特徴とする請求項１記載の果実掛袋であり、外袋を付けた状態で日射が内袋下部に侵入することはない。
【図面の簡単な説明】
【図１】本発明の第１実施例を示す外袋を一部展開した状態の正面図である。
【図２】本発明の第１実施例を示す分解斜視図である
【図３】本発明の第１実施例を示す断面図である。
【図４】本発明の第１実施例を示す内袋の展開図である。
【図５】本発明の第１実施例を示す使用状態を示す斜視図である。
【図６】本発明の第１実施例を示す除袋状態を示す斜視図である
【図７】本発明の第２実施例を示す外袋を一部展開した状態の正面図である。
【符号の説明】
１  １Ａ  果実掛袋
２  内袋
２Ａ  開口上縁
２Ｂ  開口下縁
２Ｃ  境界
２Ｄ  内袋上部
２Ｅ  内袋下部
３  外袋
４  ４Ｂ  切欠き部
６  ６Ｂ  接着片
７  切裂き線
【図１】
0003661171.tif 000002
【図２】
0003661171.tif 000003
【図３】
0003661171.tif 000004
【図４】
0003661171.tif 000005
【図５】
0003661171.tif 000006
【図６】
0003661171.tif 000007
【図７】
0003661171.tif 000008